(57)【要約】      （修正有）【課題】かごの内部に流入する塵埃の量を減らすことができるエレベーターの換気装置を提供する。【解決手段】エレベーターの換気装置１０は、エレベーターのかご６の外部と内部とをつなぐ風路を形成した筐体１２と、筐体１２の風路に設けられ、かご６の外部から空気を吸い込んで、空気をかご６の内部に送るファン１３と、筐体１２の風路においてファン１３よりもかご６の外部の側に設けられ、ファンに吸い込まれた空気中に含まれる塵埃を帯電する帯電体１５と、筐体１２の風路においてファン１３と帯電体１５との間に設けられ、帯電体１５により帯電された塵埃を捕集する捕集体１６と、を備えた。【選択図】図２
2020152560.tif 000002
【特許請求の範囲】
【請求項１】
エレベーターのかごの外部と内部とをつなぐ風路を形成した筐体と、
前記筐体の風路に設けられ、前記かごの外部から空気を吸い込んで、当該空気を前記かごの内部に送るファンと、
前記筐体の風路において前記ファンよりも前記かごの外部の側に設けられ、前記ファンに吸い込まれた空気中に含まれる塵埃を帯電する帯電体と、
前記筐体の風路において前記ファンと前記帯電体との間に設けられ、前記帯電体により帯電された塵埃を捕集する捕集体と、
を備えたエレベーターの換気装置。
【請求項２】
前記筐体は、風路における前記かごの外部の側の開口部が水平方向に開口するように設けられた請求項１に記載のエレベーターの換気装置。
【請求項３】
前記筐体は、前記かごの外部から水平方向に延びる上部風路と前記上部風路から下方に折り返す折り返し風路と前記折り返し風路から前記上部風路の下方に延びて前記かごの内部につながる下部風路とを有し、
前記ファンは、前記下部風路に設けられ、
前記帯電体は、前記下部風路に設けられ、
前記捕集体は、前記下部風路において前記ファンと前記帯電体との間に設けられた請求項２に記載のエレベーターの換気装置。
【請求項４】
前記筐体は、前記かごの外部から水平方向に延びる第１風路と前記第１風路から横方向に折り返す折り返し風路と前記折り返し風路から前記第１風路に沿って延びてかごの内部につながる第２風路とを有し、
前記ファンは、前記第２風路に設けられ、
前記帯電体は、前記第２風路に設けられ、
前記捕集体は、前記第２風路において前記帯電体よりも前記折り返し風路の側に設けられた請求項２に記載のエレベーターの換気装置。
【請求項５】
前記筐体の上面に設けられ、捕集体に捕集された塵埃の量が予め設定された量よりも多くなったことを報知する報知体、
を備えた請求項１から請求項４のいずれか一項に記載のエレベーターの換気装置。
【発明の詳細な説明】
【技術分野】
【０００１】
この発明は、エレベーターのかごの内部の換気機能を備えた換気装置に関する。
【背景技術】
【０００２】
特許文献１は、エレベーターの換気装置を開示する。当該換気装置によれば、かごの内部の騒音を減らし得る。
【先行技術文献】
【特許文献】
【０００３】
【特許文献１】特開平７−３１５７２８公報
【発明の概要】
【発明が解決しようとする課題】
【０００４】
しかしながら、特許文献１に記載の換気装置は、かごの外部から空気とともに塵埃を吸い込む。当該塵埃は、かごの内部に流入する。
【０００５】
この発明は、上述の課題を解決するためになされた。この発明の目的は、かごの内部に流入する塵埃の量を減らすことができるエレベーターシステムを提供することである。
【課題を解決するための手段】
【０００６】
この発明に係るエレベーターの換気装置は、エレベーターのかごの外部と内部とをつなぐ風路を形成した筐体と、前記筐体の風路に設けられ、前記かごの外部から空気を吸い込んで、当該空気を前記かごの内部に送るファンと、前記筐体の風路において前記ファンよりも前記かごの外部の側に設けられ、前記ファンに吸い込まれた空気中に含まれる塵埃を帯電する帯電体と、前記筐体の風路において前記ファンと前記帯電体との間に設けられ、前記帯電体により帯電された塵埃を捕集する捕集体と、を備えた。
【発明の効果】
【０００７】
この発明によれば、捕集体は、帯電体により帯電された塵埃を捕集する。このため、かごの内部に流入する塵埃の量を減らすことができる。
【図面の簡単な説明】
【０００８】
【図１】実施の形態１におけるエレベーターの換気装置が適用されるエレベーターの構成図である。
【図２】実施の形態１におけるエレベーターの換気装置の縦断面図である。
【図３】実施の形態２におけるエレベーターの換気装置の縦断面図である。
【図４】実施の形態３におけるエレベーターの換気装置の横断面図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１におけるエレベーターの換気装置が適用されるエレベーターの構成図である。
【００１１】
図１のエレベーターについて、昇降路１は、図示されない建築物の各階を貫く。機械室２は、昇降路１の直上に設けられる。複数の乗場３の各々は、建築物の各階に設けられる。複数の乗場３の各々は、昇降路１に対向する。
【００１２】
巻上機４は、機械室２に設けられる。主ロープ５は、巻上機４に巻き掛けられる。
【００１３】
かご６は、昇降路１の内部に設けられる。かご６は、主ロープ５の一側に支持される。釣合おもり７は、昇降路１の内部に設けられる。釣合おもり７は、主ロープ５の他側に支持される。
【００１４】
複数の乗場ドア８の各々は、複数の乗場３の各々の出入口に設けられる。かごドア９は、かご６の出入口に設けられる。換気装置１０は、かご６の天井に設けられる。
【００１５】
制御装置１１は、機械室２に設けられる。制御装置１１は、エレベーターを全体的に制御し得るように設けられる。
【００１６】
次に、図２を用いて、換気装置１０を説明する。
図２は実施の形態１におけるエレベーターの換気装置の縦断面図である。
【００１７】
図２に示されるように、換気装置１０は、筐体１２とファン１３とフィルタ体１４と帯電体１５と捕集体１６と報知体１７と蓋体１８を備える。
【００１８】
例えば、筐体１２は、金属で形成される。筐体１２は、かご６の外部と内部とをつなぐ風路を形成する。筐体１２の風路において、かご６の外部の側の開口部は、水平方向に開口する。ファン１３は、筐体１２の風路に設けられる。ファン１３は、かご６の外部から空気を吸い込んでかご６の内部に送り得るように設けられる。
【００１９】
フィルタ体１４は、筐体１２の風路におけるかご６の外部の側の開口部に設けられる。フィルタ体１４は、ファン１３に吸い込まれた空気中に含まれる比較的大きな塵埃を捕集し得るように設けられる。帯電体１５は、筐体１２の風路においてファン１３よりもかご６の外部の側に着脱自在に設けられる。帯電体１５は、フィルタ体１４を通過した空気中に含まれる比較的小さな塵埃を帯電し得るように設けられる。捕集体１６は、筐体１２の風路においてファン１３と帯電体１５との間に着脱自在に設けられる。捕集体１６は、帯電体１５により帯電された比較的小さな塵埃を捕集し得るように設けられる。
【００２０】
例えば、報知体１７は、筐体１２の上面に設けられる。報知体１７は、捕集体１６に捕集された比較的小さな塵埃の量が予め設定された量よりも多くなった場合にその旨を示すことを発光等により報知し得るように設けられる。蓋体１８は、筐体１２の外部からファン１３と捕集体１６との間に挿入し得るように設けられる。蓋体１８は、ファン１３と捕集体１６との間に挿入された際にファン１３と帯電体１５と捕集体１６との動作を停止させ得るように設けられる。
【００２１】
以上で説明した実施の形態１によれば、捕集体１６は、帯電体１５により帯電された塵埃を捕集する。このため、かご６の内部に流入する塵埃の量を減らすことができる。その結果、かご６の内部の意匠面が塵埃で汚れることを抑制できる。
【００２２】
また、筐体１２の風路において、かご６の外部の側の開口部は、水平方向に開口する。このため、かご６が昇降する際に筐体１２の内部に空気が勢いよく流入することを抑制できる。
【００２３】
また、報知体１７は、捕集体１６に捕集された塵埃の量が予め設定された量よりも多くなったことを報知する。このため、捕集体１６の清掃のタイミングを作業員に知らせることができる。
【００２４】
実施の形態２．
図３は実施の形態２におけるエレベーターの換気装置の縦断面図である。なお、実施の形態１の部分と同一又は相当部分には同一符号が付される。当該部分の説明は省略される。
【００２５】
実施の形態２において、筐体１２は、上部風路１２ａと折り返し風路１２ｂと下部風路１２ｃとを形成する。
【００２６】
上部風路１２ａは、かご６の外部から水平方向に延びる。折り返し風路１２ｂは、上部風路１２ａから下方に折り返される。下部風路１２ｃは、折り返し風路１２ｂから上部風路１２ａの下方に延びてかご６の内部につながる。
【００２７】
ファン１３は、下部風路１２ｃに設けられる。帯電体１５は、下部風路１２ｃにおいてファン１３よりも折り返し風路１２ｂの側に設けられる。捕集体１６は、下部風路１２ｃにおいてファン１３と帯電体１５との間に設けられる。
【００２８】
以上で説明した実施の形態２によれば、筐体１２は、下方に折り返されることにより風路を形成する。このため、かご６の天井において換気装置１０の設置面積を小さくすることができる。
【００２９】
また、帯電体１５と捕集体１６とは、下部風路１２ｃに設けられる。このため、かご６の一対のガイドレールおよび釣合おもり７の一対のガイドレール等からの油が帯電体１５と捕集体１６とに到達することをより確実に抑制できる。
【００３０】
なお、上部風路１２ａと下部風路１２ｃとの境界で筐体１２を分割できるようにしてもよい。この場合、上部風路１２ａを下部風路１２ｃから取り外した際に帯電体１５と捕集体１６とが上方に露出するようにすれば、帯電体１５と捕集体１６とを容易に清掃することができる。
【００３１】
実施の形態３．
図４は実施の形態３におけるエレベーターの換気装置の横断面図である。なお、実施の形態１の部分と同一又は相当部分には同一符号が付される。当該部分の説明は省略される。
【００３２】
実施の形態３において、筐体１２は、第１風路１２ｄと折り返し風路１２ｅと第２風路１２ｆとを形成する。
【００３３】
第１風路１２ｄは、かご６の外部から水平方向に延びる。折り返し風路１２ｅは、上部風路１２ａから横方向に折り返す。第２風路１２ｆは、折り返し風路１２ｅから第１風路１２ｄに沿って延びてかご６の内部につながる。
【００３４】
ファン１３は、第２風路１２ｆに設けられる。帯電体１５は、第２風路１２ｆにおいてファン１３よりも折り返し風路１２ｅの側に設けられる。捕集体１６は、第２風路１２ｆにおいてファン１３と帯電体１５との間に設けられる。
【００３５】
以上で説明した実施の形態３によれば、筐体１２は、横方向に折り返されることにより風路を形成する。このため、かご６の天井において換気装置１０の高さを低くすることができる。
【００３６】
また、帯電体１５と捕集体１６とは、第２風路１２ｆに設けられる。このため、かご６の一対のガイドレールおよび釣合おもり７の一対のガイドレール等からの油が帯電体１５と捕集体１６とに到達することをより確実に抑制できる。
【００３７】
なお、第２風路１２ｆの上面に蓋体１８を設けてもよい。この場合、蓋体１８を開けることで帯電体１５と捕集体１６とが上方に露出するようにすれば、帯電体１５と捕集体１６とを容易に清掃することができる。
【００３８】
なお、実施の形態１から実施の形態３の換気装置１０の筐体１２の風路において、かご６の外部の側の開口部をかご６の一対のガイドレールおよび釣合おもり７の一対のガイドレールに向かないようにすればよい。例えば、かご６の外部の側の開口部を釣合おもり７の一対のガイドレールの間に向くようにすればよい。この場合、ガイドレールからの油が筐体１２の風路に進入することをより確実に抑制できる。
【００３９】
また、実施の形態１から実施の形態３の換気装置１０の筐体１２において、掃除機のノズルの差し込み部を集塵体の付近に形成してもよい。この場合、掃除機のノズルが差し込み部に差し込まれた際にファン１３と帯電体１５と集塵体との動作が停止するようにすれば、安全かつ効率的に集塵体を清掃することができる。
【００４０】
また、実施の形態１から実施の形態３の換気装置１０において、ファン１３の動作を停止した際に帯電体１５と集塵体との動作も停止するようにしてもよい。この場合、冬場等においてファン１３を停止した場合に帯電体１５と集塵体とが無用に動作することを抑制できる。
【符号の説明】
【００４１】
１  昇降路、  ２  機械室、  ３  乗場、  ４  巻上機、  ５  主ロープ、  ６  かご、  ７  釣合おもり、  ８  乗場ドア、  ９  かごドア、  １０  換気装置、  １１  制御装置、  １２  筐体、  １２ａ  上部風路、  １２ｂ  折り返し風路、  １２ｃ  下部風路、  １２ｄ  第１風路、  １２ｅ  折り返し風路、  １２ｆ  第２風路、  １３  ファン、  １４  フィルタ体、  １５  帯電体、  １６  捕集体、  １７  報知体、  １８  蓋体
【図１】
2020152560.tif 000003
【図２】
2020152560.tif 000004
【図３】
2020152560.tif 000005
【図４】
2020152560.tif 000006